(57)【特許請求の範囲】
【請求項１】
複数の計測チャネルを有し、この計測チャネルに接続されたアンテナの検出信号に基づいて電気機器に部分放電が発生したか否かを判定する判定部を具備する電気機器絶縁診断装置において、
前記判定部は、前記計測チャネルを切り換える手段と、前記計測チャネルにおいて所定の放送波が受信されたか否かを判定する手段と、この手段が所定の放送波を受信したと判定したとき、当該計測チャネルを絶縁診断に用いる計測チャネルとして設定する手段とを具備し、
前記判定部は、前記電気機器の絶縁診断を行うときに、前記設定された計測チャネルから得た信号を用いて絶縁診断を行うことを特徴とする電気機器絶縁診断装置。
【請求項２】
前記放送波は、テレビ放送波であることを特徴とする請求項１記載の電気機器絶縁診断装置。
【請求項３】
複数の計測チャネルを有し、この計測チャネルに接続されたアンテナの出力信号に基づいて電気機器に部分放電が発生したか否かを判定する判定部を具備する電気機器絶縁診断装置において、
模擬信号送出アンテナと、このアンテナから模擬信号を送信させる手段とを設け、
前記判定部は、前記計測チャネルを切り換える手段と、前記計測チャネルにおいて前記模擬信号が受信されたか否かを判定する手段と、この手段が前記模擬信号を受信したと判定したとき、当該計測チャネルを絶縁診断に用いる計測チャネルとして設定する手段とを具備し、
前記判定部は、前記電気機器の絶縁診断を行うときに、前記設定されたチャネルから得た信号を用いて絶縁診断を行うことを特徴とする電気機器絶縁診断装置。
【発明の詳細な説明】
【０００１】
【発明の属する技術分野】
本発明は、電気機器の絶縁性能を診断する装置に関するものである。
【０００２】
【従来の技術】
ガス絶縁開閉装置などの電気機器において何らかの原因で絶縁性能が劣化すると、アーク閃絡事故に至る前に予兆現象として部分放電が発生することが知られている。電気機器絶縁監視装置は、この部分放電を軽微な段階で検出し、それにより電気機器におけるアーク閃絡事故を未然に防止しようとするものである。
【０００３】
この部分放電を検出する手段として、部分放電により発生する電磁波を検出することが行われている。具体的構成としては、電気機器の部分放電が発生する可能性のある複数の場所にアンテナを配置し、各アンテナ出力をセレクタを介して判定装置に入力する。
判定装置では、セレクタの切り換えにより１つの計測チャネルを選択し、その計測チャネルに接続されたアンテナが検出した信号から部分放電の有無を判定する。以後、判定装置は、セレクタを切り換えて、各計測チャネルについて部分放電の有無を判定し電気機器の絶縁診断を行う。
【０００４】
この複数の計測チャネルを有する電気機器絶縁診断装置においては、複数の計測チャネルの一部だけにアンテナが接続されることがある。この場合、診断に要する時間を短縮するため、判定装置が絶縁診断を行う計測チャネル、つまり、アンテナが接続された計測チャネルを判定装置に対して指定する。
従来の使用計測チャネルを指定する方法としては、（１）予め、設計者又はユーザが使用する計測チャネルを、不揮発性メモリにプログラムで指定する、（２）診断装置の設定入力画面において、計測チャネルを登録する、（３）診断装置に計測チャネル設定用のスイッチを設け、使用者がそのスイッチにより指定するといった方法が採られていた。
【０００５】
【発明が解決しようとする課題】
上記従来の計測チャネルの設定方法では、計測チャネルが変更になると、その都度、ＲＯＭの消去／書き込み、画面設定、スイッチの操作などを行わなければならない。これは、操作が煩わしく、かつ、設定ミスなどを誘発する。
本発明は、複数の計測チャネルを有する電気機器絶縁診断装置において、アンテナが接続された計測チャネルを自動的に設定できるようにすることを目的とするものである。
【０００６】
【課題を解決するための手段】
本発明は、上記目的を達成するためになされたもので、複数の計測チャネルを有し、この計測チャネルに接続されたアンテナの検出信号に基づいて電気機器に部分放電が発生したか否かを判定する判定部を具備する電気機器絶縁診断装置を対象とする。
【０００７】
本発明の第１の態様においては、判定部をアンテナと接続した後、判定部は、順次計測チャネルを切り換え、その計測チャネルにおいて放送波が受信されたか否かを判定する。ここで放送波を受信したと判定したとき、その計測チャネルにはアンテナが接続されていることとなる。したがって、そのとき選択されている計測チャネルを絶縁診断に用いる計測チャネルとして設定する。
【０００８】
判定部は、この設定されたチャネルから得た信号を用いて電気機器の絶縁診断を行う。
また、本発明の第２の態様においては、放送波を検出する代わりに模擬信号を検出する。このため、模擬信号発生器と模擬信号送出アンテナを設け、模擬信号送出アンテナから模擬信号を送信させる。
【０００９】
判定部は、順次計測チャネルを切り換え、その計測チャネルの信号において模擬信号が受信されたか否かを判定する。そして、模擬信号を受信したと判定したとき、その計測チャネルを絶縁診断に用いる計測チャネルとして設定する。
本発明によれば、電気機器絶縁診断装置の判定部とアンテナとを接続するだけで、自動的に、絶縁診断に使用する測定チャネルが設定される。これにより、絶縁診断はアンテナが接続された計測チャネルだけについて行われるので、診断に要する時間を短縮することができる。
【００１０】
【発明の実施の形態】
本発明の実施形態について図を用いて説明する。
（実施形態１）
図１は、絶縁診断装置を電気機器に適用した状態を示す。
図において、１は、ガス絶縁開閉装置、キュービクル、ガス遮断器などの電気機器である。２は電気機器１の内部で絶縁異常により発生する部分放電である。部分放電２が発生すると、ある周波数成分を含んだ電磁波３が発生する。４１、４２は受信アンテナで、それぞれが部分放電２を検出したい位置に配置される。受信アンテナ４１、４２の出力信号は、セレクタ５を通して判定装置６に入力される。
【００１１】
また、７は、テレビ地上波８を送出する送信アンテナである。現在、日本では、６４チャネルのテレビ地上波があるが、地域によって受信可能なチャネル数は異なる。受信アンテナ４１，４２は、部分放電２による電磁波３だけでなく、送信アンテナ７から送信される電磁波８を検出する。なお、本例では、放送波として、テレビ地上波を利用するが、ラジオ波、移動体通信の周波数帯、衛星波なども使用できる。
【００１２】
図２は、絶縁診断装置の構成を示す図である。
４１〜４３は受信アンテナである。受信アンテナ４１〜４３の各出力信号は、セレクタ５の各入力端子に入力される。セレクタ５から出力された信号は、判定装置６のプリアンプ６１により増幅されて、チューナ６２に入力される。チューナ６２は、ＣＰＵ６３の制御によりチューニング周波数が設定され、検波した信号をＣＰＵ６３に出力する。ＣＰＵ６３は、チューナ６２のチューニング周波数を切り換え、Ｉ／Ｏインタフェース６４を介してセレクタ５を切り換える。
【００１３】
判定装置６は携帯可能に形成され、絶縁診断を行う時に受信アンテナ４１〜４３と接続される。なお、セレクタ５については、常時受信アンテナ４１〜４３と接続しておき、絶縁診断時に判定装置６と接続されるようにしても良いし、セレクタ５を判定装置６に組み込んで、絶縁診断を行う時に受信アンテナ４１〜４３と接続するようにすることもできる。
【００１４】
図３のフローチャートを用いて、判定装置６の動作を説明する。
ステップＳ１１で、チューナ６１の検波周波数を、計測チャネル設定用周波数にセットする。本例では、この計測チャネル設定用周波数はテレビ放送周波数である。日本では６４チャネルのテレビ放送波があるので、ここではこの６４の周波数をセットする。
【００１５】
ステップＳ１２からステップＳ１３へ進むと、セレクタ５を切り換えて１つの計測チャネルを選択し、ステップＳ１４へ進む。
ステップＳ１４で、選択した計測チャネルでテレビ放送波を受信したか否かを判定する。ここでは、チューナ６２を順次切り換えて６４チャネルの周波数全てを検波し、各周波数ごとにあるレベルを超える信号が得られたか否かをチェックする。６４チャネルの内、所定数（例、３）のチャネルにおいてあるレベルを超える信号が得られた場合、その計測チャネルは放送波を受信をした、つまり、そのチャネルに受信アンテナが接続されていると判定し、ステップＳ１５で、そのチャネルを絶縁診断に使用するチャネルとして設定する。また、受信をしなかった場合は、そのチャネルに受信アンテナが接続されていないと判定して、ステップＳ１２へ戻る。
【００１６】
上述のステップＳ１２〜１５の動作が繰り返されて、全ての計測チャネル、即ち全てのセレクタ５の入力がチェックされると、ステップＳ１２からステップＳ２１へ進み、部分放電の有無の判定を行う。
ステップＳ２１では、チューナ６１を絶縁診断用周波数に設定する。この絶縁診断用周波数としては、通常の電磁波による絶縁診断に用いる周波数を設定する。例えば、部分放電２による電磁波３の周波数範囲内から１００程度の周波数を選択して、この周波数をチューナ６１に設定する。
【００１７】
ステップＳ２２を経由してステップＳ２３で、セレクタ５を切り換えて、前述のステップＳ１４で設定された絶縁診断用計測チャネルの１つを選択する。
ステップＳ２４で、当該計測チャネルについて部分放電の有無を判定する。この診断方法としては公知の種々の方法が採用できる。例えば、ステップＳ２１でチューナ６１にセットした１００の周波数について検波を行い、各周波数ごとの信号レベルの平均をとる。そして、その平均値が設定値を超えたときに、当該計測チャネルで部分放電２が検出されたと判定し、超えないときは、絶縁異常はないと判定する。
【００１８】
次いで、ステップＳ２２に戻り、ステップＳ２３でセレクタ５を次の計測チャネルに切り換える。以後、ステップＳ２２〜２４の処理を繰り返し、ステップＳ１４で設定された絶縁診断用計測チャネルの全てについて部分放電の有無の判定を行う。
そして、全ての絶縁診断用計測チャネルについて判定が終了すると、ステップＳ２２からステップＳ２５へ進み、各絶縁診断用計測チャネルごとに部分放電の有無を表示し処理を終了する。
【００１９】
本例によれば、絶縁診断装置の判定装置６が、自動的に、受信アンテナが接続された計測チャネルを絶縁診断に用いる計測チャネルとして設定し、その計測チャネルのみを使用して部分放電の有無を判定する。したがって、従来のような、使用する計測チャネルを設定する作業を省略することができる。
また、絶縁診断は、受信アンテナが接続されていない計測チャネルについては行われないから、所要時間を短縮することができる。
【００２０】
さらに、本例においては、絶縁診断用に設定した計測チャネルを表示することにより、アンテナ回路のチェックを行うこともできる。つまり、アンテナを接続した計測チャネルが使用計測チャネルとして設定されなかったときは、その計測チャネルのアンテナ、アンテナケーブル、コネクタなどに接触不良、感度不良などがあることとなるので、これらをチェックする。
【００２１】
（実施形態２）
本発明の第２の例について図を用いて説明する。
図４は、本例の絶縁診断装置を電気機器に適用した状態を示す。
図４において、１１は模擬信号発生器で、１２は模擬信号送出アンテナである。模擬信号発生器１１は、テレビ、ラジオなどの放送波と異なる周波数の模擬信号を発生し、模擬信号送出アンテナ１２から模擬信号を送出する。なお、模擬信号発生器１１は、判定装置６内に組み込むこともできる。また、模擬信号送出アンテナ１２は、１本だけでなく複数本設置することもできる。その他の構成については、前述の図１と同様であるので、ここでの説明は省略する。
【００２２】
本例のアンテナ４１〜４３、セレクタ５、判定装置６の構成は、図２に示される。この図２についての説明は、前述の実施形態１の説明において説明済みである。
本例の判定装置の動作を図３のフローチャートを用いて説明する。
ステップＳ１１で、チューナを計測チャネル設定用周波数にセットするが、本例では、模擬信号発生器１１が発生する模擬信号の周波数と同一の周波数がセットされる。
【００２３】
ステップＳ１２からステップＳ１３へ進むと、セレクタ５を切り換えて１つの計測チャネルを選択し、ステップＳ１４へ進む。
ステップＳ１４で、受信の有無を判定する。ここでは、当該計測チャネルから、規定の周波数、信号レベル、パターンが得られたか否かを判定することにより、模擬信号を受信したか否かをチェックする。模擬信号を受信したと判定した場合、その計測チャネルは受信アンテナが接続されていると判断し、ステップＳ１５で、そのチャネルを絶縁診断に使用するチャネルとして設定する。また、模擬信号を受信をしなかったと判定した場合は、そのチャネルに受信アンテナが接続されていないと判断して、ステップＳ１２へ戻る。
【００２４】
以後の動作は、前述の実施形態１と同様である。
本例は、前述の実施形態１と同様の効果を奏するが、実施形態１と比較すると、既存の放送波を使用しないため、放送波を受信しにくい山間地又は夜間においても、自動設定が可能となるという特長を有する。
【００２５】
【発明の効果】
本発明によれば、複数の計測チャネルを有する電気機器絶縁診断装置において、アンテナが接続された計測チャネルを自動的に設定することができる。そして、アンテナが接続された計測チャネルのみについて絶縁診断を行えるので、診断に要する時間を短縮することができる。
【図面の簡単な説明】
【図１】本発明の実施形態１における絶縁診断装置の使用状態を示す図。
【図２】本発明の絶縁診断装置の具体的構成を示す図。
【図３】図２の絶縁診断装置の動作を説明するフローチャート。
【図４】本発明の実施形態２における絶縁診断装置の使用状態を示す図。
【符号の説明】
１…電気機器
２…部分放電
３…電磁波
４１，４２，４３…受信アンテナ
５…セレクタ
６…判定装置
６１…プリアンプ
６２…チューナ
６３…ＣＰＵ
６４…Ｉ／Ｏインタフェース
７…送信アンテナ
８…テレビ地上波
１１…模擬信号発生器
１２…模擬信号送出アンテナ
【図１】
0003562133.tif 000002
【図２】
0003562133.tif 000003
【図３】
0003562133.tif 000004
【図４】
0003562133.tif 000005